(57)【特許請求の範囲】
【請求項１】
背もたれ（４）、頭支持体（７）を有しており、第１ジョイント（２４）を有するジョイント装置（１７）により頭支持体（７）が背もたれ（４）に枢動可能に連結され、且つ固定装置（１９ａ）により各枢動位置に固定可能である医療または歯科医治療椅子（１）において、固定装置（１９ａ）は２つの作用室（３６、３７）を備えたピストンシリンダ（３４ａ）を有しており、該ピストンシリンダは第１ジョイント（２４）のジョイント部分と連結されており、作用室（３６、３７）は選択的に開閉することができる弁（３９）が配置された連結管路（３８）により互いに連結されており、弁（３９）を選択的に開閉するための作動部材（４５）が設けられていることを特徴とする医療または歯科医治療椅子（１）。
【請求項２】
背もたれ（４）、頭支持体（７）を有しており、頭支持体（７）が第１ジョイント（２４）を有するジョイント装置（１７）により背もたれ（４）に枢動可能に連結され、且つ固定装置（１９ａ）により各枢動位置に固定可能である医療または歯科医治療椅子（１）用の頭支持体（７）において、固定装置（１９a）は２つの作用室（３６、３７）を備えたピストンシリンダ（３４ａ）を有しており、該ピストンシリンダは第１ジョイント（２４）のジョイント部分と連結されており、作用室（３６、３７）は選択的に開閉することができる弁（３９）が配置された連結管路（３８）により互いに連結されており、弁（３９）を選択的に開閉するための作動部材（４５）が設けられていることを特徴とする医療または歯科医治療椅子（１）用の頭支持体（７）。
【請求項３】
作動部材（４５）は、頭支持体（７）に配置されたグリップ部分（８ａ）の一方の側に配置されており、操作手の親指および少なくとも１本の指によりグリップ部（８ａ）とともに掴むことができ、且つ圧力を手で及ぼすことによって戻り力に抗して移動可能であることを特徴とする請求項１または２に記載の治療椅子または頭支持体。
【請求項４】
ピボット装置（１７）は第２固定装置（１９ｂ）によって固定可能な第２ジョイント（２５）を有しており、第２固定装置（１９ｂ）は作動部材（４５）により解放可能であり、それにより第２固定装置（１９ｂ）は好ましくは２つの作用室（３６、３７）を備えたピストンシリンダ（３４ｂ）を有しており、該ピストンシリンダ（３４ｂ）は第２ジョイント（２５）のジョイント部分と連結されており、また作用室（３６、３７）は弁（３９）が配置された連結管路（３８）によって互いに連結されており、上記弁を作動部材（４５）により選択的に開閉することができることを特徴とする請求項１ないし３のうちのいずれかの項に記載の治療椅子または頭支持体。
【請求項５】
頭支持体（７）に関して、作動部材（４５）が長さ方向側部に配置されていることを特徴とする請求項１ないし４のうちのいずれかの項に記載の治療椅子または頭支持体。
【請求項６】
両固定装置（１９ａ、１９ｂ）用の共通の作動部材（４５）が設けられていることを特徴とする請求項４または５に記載の治療椅子または頭支持体。
【請求項７】
連結管路（３８）はピストンシリンダ（３４ａ、３４ｂ）のピストン（３５）を通って延びていることを特徴とする請求項１ないし６のうちのいずれかの項に記載の治療椅子または頭支持体。
【請求項８】
弁（３９）はピストンシリンダ（３４ａ、３４ｂ）のピストン（３５）またはピストンロッド（４２）に配置されていることを特徴とする請求項７に記載の治療椅子または頭支持体。
【請求項９】
ピストンロッド（４２）において弁タペット（４１）が長さ方向に変位可能に案内されることを特徴とする請求項８に記載の治療椅子または頭支持体。
【請求項１０】
作動部材（４５）はピストンシリンダ（３４ａ、３４ｂ）の長さ方向軸線に対して横方向に移動可能であり、作動部材（４５）と弁（３９）との間には、作動部材（４５）の移動を弁（３９）がピストンシリンダ（３４ａ、３４ｂ）の長さ方向に延びるための弁タッペト（４１）の移動に変換するための伝達機構（５５）が設けられていることを特徴とする請求項１ないし９のうちのいずれかの項に記載の治療椅子または頭支持体。
【請求項１１】
作動部材（４５）は好ましくは枢動平面に対して平行に延びる作動表面を有しており、任意の枢動位置において弁（３９）または弁タペット（４１）または伝達機構（５５）を作動することが可能であるような大きさであることを特徴とする請求項１ないし１０のうちのいずれかの項に記載の治療椅子または頭支持体。
【請求項１２】
ピストンシリンダ（３４ａ、３４ｂ）は関連ジョイント（２４、２５）のジョイント部分に枢動可能に連結されていることを特徴とする請求項１ないし１１のうちのいずれかの項に記載の治療椅子または頭支持体。
【請求項１３】
第１ジョイント（２４）および第２ジョイント（２５）はリンク（２３）の端部に配置されていることを特徴とする請求項１ないし１２のうちのいずれかの項に記載の治療椅子または頭支持体。
【請求項１４】
第２ジョイント（２５）は関連ジョイント部分の傾斜肢部（３１ｃ）に配置されていることを特徴とする請求項１３に記載の治療椅子または頭支持体。
【請求項１５】
グリップ部分（８ａ）は頭支持体（７）の下側に配置されていることを特徴とする請求項１ないし１４のうちのいずれかの項に記載の治療椅子または頭支持体。
【発明の詳細な説明】
【０００１】
【発明の属する技術分野】
本発明は、請求項１または２の前提項による医療または歯科医治療椅子またはこのような治療椅子用の頭支持体に関する。
【０００２】
【従来技術】
これらの種類の治療椅子または頭支持体がＤＥ２９６２０８０１Ｕ１号公報にのべられている。この公知な治療椅子またはこの種類の公知な頭支持体では、頭支持体を設定するために、４バーチェーンの形態のピボット装置が設けられており、同様に、ピボット装置を各枢動位置に固定するための関連固定装置が設けられている。この固定装置は４バーチェーンの基ジョイントの領域に継手を有しており、ジョイントを選択的に固定すなわち拘束したり解放したりするために連結位置と連結解除位置との間で移動可能な継手要素を備えている。頭支持体には、継手を開いたり閉じたりするための手動で移動可能な作動部材が設けられており、この作動部材はケーブル線を介して継手と連結されている。更に、作動部材を作動してないときに継手の開放を防ぎ、作動部材の作動で開放を許容する拘束部分を有する拘束装置が継手と関連されている。
【０００３】
ＥＰ０７０１８０６Ａ１号公報には、同様に、序文に示した種類の治療椅子または頭支持体が開示されている。この公知な構成では、ピボット装置はその端部領域に２つのジョイントを持つリンクを有しており、このリンクは、関連した背もたれの頭支持体ホルダを有するその基ジョイントにより、その第２ジョイントにおいて頭支持体を支持している。これらのジョイントを締め付けるために作用室を備えた空気圧ピストンシリンダを有する固定装置がジョイントと関連されている。ハンドポンプの空気がこのピストンシリンダに作用し、この空気圧によってピストンシリンダを作動することができる。ジョイントの固定締め付けのために、かなりの締め付け力が必要とされる。何故なら、機能性操作において、頭支持体は、主に患者が加えることができ、且つ頭支持体を移動させようとするかなりの荷重を受けるからである。かくして、頭支持体をその設定位置に固着するためにかなりの固定力が必要である。この公知な構成の更に他の欠点は、頭支持体を各所望位置に設定するのに複雑な取り扱い手順が必要とされる。このために、両方の操作手が不可避に必要とされ、頭支持体を一方の操作手で調整し、位置決めし、空気圧部材を他方の操作手で作動する。
【０００４】
また、ＥＰ０６７３６６３Ａ２号公報には、序文に示した種類の治療椅子または頭支持体が述べられている。この公知な構成では、頭支持体のピボット装置がいわゆる４バーチェーンにより構成されており、それによりピボット装置を背もたれと連結する基ジョイントと、ジョイントを拘束するための継手が関連されており、頭支持体に移動可能に設けられた作動装置の手動作動によりこの継手を開くことができる。この公知な構成では、作動部材は操作手で傾動することができる傾動可能に設けられた部材である。作動部材は継手を開くために傾動を利用することができるように、ケーブル線によって継手と連結されている。
【０００５】
【発明が解決しようとする課題】
本発明の目的は、序文に示した種類の治療椅子または頭支持体に関して支持機能を向上させることである。頭支持体を調整し、設定するための製造費用および／取り扱い労苦が小さくあるべきである。更に、頭支持体は意図しない移動の恐れが回避または減じられるように、その設定位置で安定であるべきである。
【０００６】
【課題を解決するための手段】
この目的は、請求項１または２の特徴により達成される。また、本発明の有利な展開を関連した従属請求項に記載してある。
即ち、請求項１に記載の本発明の医療または歯科医治療椅子（１）は、背もたれ（４）、頭支持体（７）を有しており、第１ジョイント（２４）を有するジョイント装置（１７）により頭支持体（７）が背もたれ（４）に枢動可能に連結され、且つ固定装置（１９ａ）により各枢動位置に固定可能である医療または歯科医治療椅子（１）において、固定装置（１９ａ）は２つの作用室（３６、３７）を備えたピストンシリンダ（３４ａ）を有しており、該ピストンシリンダは第１ジョイント（２４）のジョイント部分と連結されており、作用室（３６、３７）は選択的に開閉することができる弁（３９）が配置された連結管路（３８）により互いに連結されており、弁（３９）を選択的に開閉するための作動部材（４５）が設けられていることを特徴とする。
また、請求項２に記載の本発明の医療または歯科医治療椅子（１）用の頭支持体（７）は、背もたれ（４）、頭支持体（７）を有しており、頭支持体（７）が第１ジョイント（２４）を有するジョイント装置（１７）により背もたれ（４）に枢動可能に連結され、且つ固定装置（１９ａ）により各枢動位置に固定可能である医療または歯科医治療椅子（１）用の頭支持体（７）において、固定装置（１９a）は２つの作用室（３６、３７）を備えたピストンシリンダ（３４ａ）を有しており、該ピストンシリンダは第１ジョイント（２４）のジョイント部分と連結されており、作用室（３６、３７）は選択的に開閉することができる弁（３９）が配置された連結管路（３８）により互いに連結されており、弁（３９）を選択的に開閉するための作動部材（４５）が設けられていることを特徴とする。
また、請求項３に記載の本発明の治療椅子または頭支持体は、請求項１または２に記載の治療椅子または頭支持体において、作動部材（４５）は、頭支持体（７）に配置されたグリップ部分（８ａ）の一方の側に配置されており、操作手の親指および少なくとも１本の指によりグリップ部（８ａ）とともに掴むことができ、且つ圧力を手で及ぼすことによって戻り力に抗して移動可能であることを特徴とする。
また、請求項４に記載の本発明の治療椅子または頭支持体は、１ないし３のうちのいずれかの項に記載の治療椅子または頭支持体において、ピボット装置（１７）は第２固定装置（１９ｂ）によって固定可能な第２ジョイント（２５）を有しており、第２固定装置（１９ｂ）は作動部材（４５）により解放可能であり、それにより第２固定装置（１９ｂ）は好ましくは２つの作用室（３６、３７）を備えたピストンシリンダ（３４ｂ）を有しており、該ピストンシリンダ（３４ｂ）は第２ジョイント（２５）のジョイント部分と連結されており、また作用室（３６、３７）は弁（３９）が配置された連結管路（３８）によって互いに連結されており、上記弁を作動部材（４５）により選択的に開閉することができることを特徴とする。
また、請求項５に記載の本発明の治療椅子または頭支持体は、請求項１ないし４のうちのいずれかの項に記載の治療椅子または頭支持体において、頭支持体（７）に関して、作動部材（４５）が長さ方向側部に配置されていることを特徴とする。
また、請求項６に記載の本発明の治療椅子または頭支持体は、請求項４または５に記載の治療椅子または頭支持体において、両固定装置（１９ａ、１９ｂ）用の共通の作動部材（４５）が設けられていることを特徴とする。
また、請求項７に記載の本発明の治療椅子または頭支持体は、請求項１ないし６のうちいずれかの項に記載の治療椅子または頭支持体において、連結管路（３８）はピストンシリンダ（３４ａ、３４ｂ）のピストン（３５）を通って延びていることを特徴とする。
また、請求項８に記載の本発明の治療椅子または頭支持体は、請求項７に記載の治療椅子または頭支持体において、弁（３９）はピストンシリンダ（３４ａ、３４ｂ）のピストン（３５）またはピストンロッド（４２）に配置されていることを特徴とする。
また、請求項９に記載の本発明の治療椅子または頭支持体は、請求項８に記載の治療椅子または頭支持体において、ピストンロッド（４２）において弁タペット（４１）が長さ方向に変位可能に案内されることを特徴とする。
また、請求項１０に記載の本発明の治療椅子または頭支持体は、請求項１ないし９のうちのいずれかの項に記載の治療椅子または頭支持体において、作動部材（４５）はピストンシリンダ（３４ａ、３４ｂ）の長さ方向軸線に対して横方向に移動可能であり、作動部材（４５）と弁（３９）との間には、作動部材（４５）の移動を弁（３９）がピストンシリンダ（３４ａ、３４ｂ）の長さ方向に延びるための弁タッペト（４１）の移動に変換するための伝達機構（５５）が設けられていることを特徴とする。
また、請求項１１に記載の本発明の治療椅子または頭支持体は、請求項１ないし１０のうちのいずれかの項に記載の治療椅子または頭支持体において、作動部材（４５）は好ましくは枢動平面に対して平行に延びる作動表面を有しており、任意の枢動位置において弁（３９）または弁タペット（４１）または伝達機構（５５）を作動することが可能であるような大きさであることを特徴とする。
また、請求項１２に記載の本発明の治療椅子または頭支持体は、請求項１ないし１１のうちのいずれかの項に記載の治療椅子または頭支持体において、ピストンシリンダ（３４ａ、３４ｂ）は関連ジョイント（２４、２５）のジョイント部分に枢動可能に連結されていることを特徴とする。
また、請求項１３に記載の本発明の治療椅子または頭支持体は、請求項１ないし１２のうちのいずれかの項に記載の治療椅子または頭支持体において、第１ジョイント（２４）および第２ジョイント（２５）はリンク（２３）の端部に配置されていることを特徴とする。
また、請求項１４に記載の本発明の治療椅子または頭支持体は、請求項１３に記載の治療椅子または頭支持体において、第２ジョイント（２５）は関連ジョイント部分の傾斜肢部（３１ｃ）に配置されていることを特徴とする。
また、請求項１５に記載の本発明の治療椅子または頭支持体は、請求項１ないし１４のうちのいずれかの項に記載の治療椅子または頭支持体において、グリップ部分（８ａ）は頭支持体（７）の下側に配置されていることを特徴とする。
【０００７】
本発明による構成では、関連ジョイントを設定位置に拘束するピストンシリンダを有する固定装置が用いられている。頭支持体のより大きい負荷で、設定位置におけるその位置決めが確保される。ピストンシリンダが特に適切であり、その作用室には、小さい圧縮性によりピストンシリンダの拘束、かくしてジョイントの拘束をもたらす流体、詳細には、オイルが満たされている。この係止を取り外すには、僅かな労苦、詳細には、僅かな手による操作、つまり、作用室を互いに連結する連結管路における弁の開放が必要とされる。この手段は僅かな労苦、詳細には僅かな力の付加、および小さい移動で行なうことができ、したがって、弁の開閉を迅速に操作容易な方法で実施することができる。この種類のピストンシリンダはそれ自身、技術品市場で得ることが可能であって、今日まで他の目的で用いられていた公知の部品である。
【０００８】
本発明の更に他の展開により、同様に、取り扱いに関して僅かな労苦で頭支持体の調整および設定を可能にし、それにより片手操作で頭に合わせ調整して所望位置に設定することが可能である。ここで、作動部材を支持するグリップ部分と作動部材とを好ましくは側部から掴むことによって頭支持体を迅速に操作容易な方法で把持することができ、頭支持体をその設定移動で案内することができる。それにより作動部材を操作する手の親指により、或いは少なくとも１つの対向指と共に、移動させ、詳細には、その解放位置へ押し入れることができる。この掴み位置では、頭支持体は同時に操作手にしっかりと保持され、それにより頭支持体を第１ジョイントおよび第２ジョイントの両方を中心として移動させて所望の支持位置にすることが可能である。この位置では、作動部材の圧力解放のみが必要とされ、それにより作動部材はその弾性戻り力により自己作用でその係止位置へ移動され、この係止位置では、ジョイントが拘束される。この構成の更に他の利点は右利きの人にも左利きの人にも適していることである。
【０００９】
第１ジョイント用および/または第２ジョイント用の本発明による構成を提供することが可能である。２つのジョイントの各々と本発明による各々のピストンシリンダを関連させる場合、両ピストンシリンダ用に共通の作動部材を設け、両ジョイントが作動部材の作動により係止解除され、作動部材の解放で係止（拘束）されるようにすることが特に有利である。この構成では、両ジョイントの同時移動で選択的な支持体の位置を手動の移動で設定することができるので、頭支持体は特に迅速に操作し易い方法で設定可能である。しかも、これに関して、ジョイントの移動平面と平行に延びる作動表面を作動部材に形成するのが有利であり、この作動表面はいずれの枢動位置でも関連弁部材を作動することが可能であるような大きさである。
【００１０】
更に、本発明による構成は、設定装置に簡単に一体化することができ、信頼ある機能を可能にする簡単でコンパクトな且つ経済的に製造可能な構成において顕著になる。
【００１１】
【発明の実施の形態】
全体的に１で示す歯科または医療用治療椅子の主部品は、好ましくは垂直な長さ方向中間平面Ｅにおける位置に設定可能であって、脚支持体３を有する座部分２と、治療椅子１の横方向に延びる水平ジョイント軸線を有する背もたれジョイント５により座部分２の後端部で座部分２と連結され、詳細には図示していない第１設定装置により直立着座位置とほぼ水平な横たわり位置との間でジョイント軸線のまわりに移動することができ、また第１固定装置により各調整位置に固定することができる背もたれ４と、背もたれ４の長さ方向に延びる１つまたは２つのキャリヤロッド９によって背もたれ４に調整可能に設けられた基体８を有する頭支持体７とである。１２は主に歯科医が使用する治療器具１３用の調整可能な第１キャリヤを示しており、１４は主に助手が使用する治療器具１５用の第２の調整可能なキャリアを示している。
【００１２】
背もたれ４と調整可能に連結され、且つ或る力の運動で解放する（または、抑える）ことができる図２に示す固定装置１１によって固定可能であり、背もたれ４の長さ方向に延びるキャリアロッド９は頭支持体ホルダ１６を構成している。このホルダにおいて、頭支持体７は、治療椅子１の垂直な長さ方向中間平面Ｅにおいてピボット装置１７によって調整可能であり、且つ頭支持体７を、その前方側または上方側にクッション２１を配置して患者の頭に対して所望の支持位置に設定するために、全体として１９として示す第２固定装置によって各ピボット位置に固定可能に保持される。このように構成された第２設定装置を全体として２２として示してある。
【００１３】
ピボット装置１７はリンク２３を有しており、このリンク２３は、その一端が第１ジョイント２４により長さ方向中間平面Ｅにおいて枢動可能となるように頭支持体ホルダ１６と連結されているとともに、その他端部が第２ジョイント２５により基体８のジョイント部分と連結されている。リンク２３はいわゆる開放型リンクであり、すなわち、互いから水平方向の間隔を有する２つのリンクウェッブ２３ａよりなり、これらのウェッブ２３ａは好ましくは上端部または下端部に配置された横部材２３ｂにより剛性のリンク部品に安定に固定されており、それによりリンクウェッブ２３ａの端部は横部材２３ｂから自由に突き出て延びている。第１ジョイント２４は、ここではほぼ円筒形体の形態の基部２７に配置されており、この基部２７には、リンク２３用のジョイント凹部２８が位置決めされており、それによりジョイントボルトと関連したジョイント軸線２４aが基部２７において偏心して、ここでは、上方に片寄って配置されている。ジョイント凹部２８により構成された基部２７の端部分の領域には、例えば、割線方向の挿入穴２９がキャリアロッド９の横断する空間に配置されており、これらの穴２９にキャリアロッド９が挿入され、固着要素により固定される。
【００１４】
頭支持体側の第２ジョイント２５のジョイント部分はリンク２３と同様に、細長い基部キャリア３１の２つの側部基体ウェッブ３１ａにより構成されており、ウェッブ３１ａには、基体シェル３２が固定されており、基体シェル３２は、第２ジョイント２５の領域において下方側に中空箱形のボディ部分３２ａを有しており、これは、好ましくは１つの部片に形成される。上方側にクッション２１を支持しており、このクッション２１は好ましくは、解放可能にクリップ留めすることができるようにして基体シェル３２に取付けられている。この目的で、簡単化のために図示していない１つまたはそれ以上の押えスタッド連結部を利用してもよい。
【００１５】
リンクウェッブ２３ａおよび基体ウェッブ３１ａは、第２ジョイント２５を形成するために、上方および斜め下方に曲げられ、互いに係合するウェッブ延長部２３ｃ、３１ｃを有しており、これらのウェッブ延長部２３ｃ、３１ｃの領域に第２ジョイント２５が形成され、例えば、ジョイントボルトがジョイント穴におけるウェッブ延長部を通り、それに固定されている。第２ジョイント２５を受け入れるために、基体シェル３２は関連領域に凹部３３を有しており、この凹部は側ボディウェッブ８ｂ間に延びて前方に出ている。これらの手段により、特に図２に示すように、空間の節約または低い姿勢の構成が達成され、この構成では、リンク２３がその高さでウェッブ８ｂ間の枢動位置に配置されており、基体キャリア３１がリンク２３の上方で比較的近くに位置決めされている。
【００１６】
第１および第２ジョイント２４、２５と関連された固定装置１９ａ、１９ｂは原則的に互いに同じに構成されており、これらの固定装置１９ａ、１９ｂは各々ピストンシリンダ３４ａ、３４ｂを有しており、ピストン３５の両側に配置された作用室３６、３７は選択的に開閉するように弁３９が配置された連結管路３８により互いに連結されており、連結管路３８は長さ方向に移動可能に案内される弁タペット４１により開放され、例えば、ばね力により自己作用で閉じる。図７による好例の実施例では、連結管路３８および弁３９はピストン３５に配置されており、それにより連結管路３８はピストン３５の両側に通じており、弁３９の弁体をピストンロッド４２の長さ方向孔に移動可能に設けられた弁タペット４１によりその開放位置に変位させることができる。これは戻りばね４１ａの弾性戻り力に抗して弁タペット４１の押し込みにより行なわれ、戻りばね４１ａは弁タペット４１を図７に示す開放位置に戻し、この開放位置では、弁３９から離れた方の弁タペット４１の接触端部４１ｂはピストンロッド４２を超えて突出する。ピストンロッド４２の自由端部領域は雄ねじ部の形態の連結部４２ａを有している。シリンダ４３の反対端部は連結要素４２ｂを有しており、この連結要素４２ｂは例えば、横方向に延びるジョイント穴（図２）を有するねじ付けジョイントアイの形状で形成され、かくして、後述のジョイントと連結されている。ジョイントアイは簡単化のために図７には図示していない。ピストン３５は例えばこれにねじ込まれる同軸に配置されたピストンロッド部分４２ｃ、４２ｄを両側に有しており、一方のピストンロッド部分４２ｃは弁タペット４１が軸方向に変位可能に設けられる軸方向挿通孔４２ｅを有している。厚い弁体４１ｅを有する弁タペット４１の内端部に圧接する弁ピン４２ｄは弁座３９ａおよび弁タペット４１に向かう方向に戻りばね４１ａにより付勢されている。戻りばね４１ａはピストンロッド部分４２ｄの盲穴４２ｆに配置されてもよい。連結管路３８は一方のピストンロッド部分４２ｃを通り、弁座を通り、部分的に盲穴４２ｆを通り、且つできるだけ他方のピストンロッド部分４２ｄの２部分壁部を通って延びており、かくして開放弁３９と共に２つの作用室３６、３７を互いに連結している。ピストンロッド部分４２ｃ、４２ｄが同じ横断面サイズであるので、作用室３６、３７の横断面サイズは同じである。ピストン室３７はピストンシリンダ３４ａ、３４ｂの中空シリンダに固定配置された分割壁部により境界決めされており、この分割壁部は密封的に穴内のピストンロッド部分４２ｄにより貫通されており、それによりピストンロッドがその背後に配置された自由室３４ｃに入り得る。弁タペット４１を破線で示す位置４１ｃ（図７）へ数ミリだけ右側に押すと、弁３９は開弁され、ピストン３５をピストンロッド部分４２ｃ、４２ｄおよび弁タペット４１と共に両方向に選択的に自由に変位することができ、それにより流体媒体、例えば、オイルが弁開口部を通って流れる。弁タペット４１を解放すると、弁３９はばね力により自己作用で閉じる。これらの手段により、ピストンロッド４２をいずれの所望のストローク位置でも変位しないように拘束することができ、それにより第１または第２ジョイント２４、２５の固定すなわち拘束を行なう。
【００１７】
ピストンシリンダ３４ａ、３４ｂは各々、関連ジョイント２４、２５の２つのジョイント部分と枢動可能に連結されており、それにより連結箇所は各々、関連ジョイント２４、２５のジョイント軸線から間隔すなわち片寄りＶ１、Ｖ２（図２）を有している。この構成により、リンク２３および／または基体８の枢動で、関連シリンダピストンは各々の場合に枢動方向に応じて押し込まれるか、或いは押し出される。しかしながら、これは弁３９が開いておれば、可能であるだけである。弁３９は閉じていれば、各ジョイント２４、２５は関連ピストンシリンダ３４ａ、３４ｂにより拘束される。ジョイントを解放し、且つ弁３９を開弁するために、弁３９を開弁するように、関連弁タペット４１を作動部材４５の手動の作動により移動させ、この場合、押し込む。作動部材４５は、例えば、これに作用する戻りばねにより生じる直接または間接的に作用する弾性戻り力を受ける。作動部材４５に対する手動圧力が減じるやいなや、或いは基体部分８aが移動されるやいなや、作動部材４５は自己作用で閉じる弁３９を閉じる初めの位置に自己作用で移動する。
【００１８】
作動部材４５は各ピストンシリンダ３４ａ、３４ｂと関連されるのがよい。取り扱いの簡単化のために、且つ片手操作を可能にするために、共通の作動部材４５を２つのピストンシリンダ３４ａ、３５ａと関連させることが有利であり、この共通の作動部材４５の作動で両弁３９が開弁し、且つ両ジョイント２４、２５が解放される。共通の作動部材４５の解放により両ジョイント２４、２５が自己作用で拘束される。
【００１９】
好例の本実施例では、ピストンシリンダ３４ａは第３ジョイント４６により基部２７と連結されており、第３ジョイント４６は、第１、第２および第３ジョイント２４、２５、４６が仮想の三角形のコーナをなすように、リンク２３の横方向に第１ジョイント２４に対して片寄っている。好例の本実施例では、図２でわかるように、第３ジョイント４６は第１ジョイント２４に対して片寄り量V1だけ下方に片寄っている。ピストンシリンダ３４ａの他端部すなわち後端部は好ましくは第２ジョイント２５に一体化された第４ジョイント４７によりリンク２３と連結されている。この目的で、横ヘッド４８ａをピストンシリンダ３４ａに連結し、好ましくはねじ付け、ここでは、そのピストンロッド４２と連結することが適しており、この横ヘッドは１つまたは２つの横方向貫通側ジョイントボルト４９によりリンク２３ａおよび基体ウェッブ３１ａを外側まで貫通しており、それにより第２ジョイント２５および第４ジョイント４７が同時に形成される。好ましくは、第２ジョイント２５を形成するために、リンク２３および／または基体キャリア３１は肢部が互いに向けられて傾斜を有する形に形成されている。これらの手段により、特に図２でわかるように、枢着状態でコンパクトな構成が達成される。好例の本実施例では、基体ウェッブ３１ａはウェッブ延長部３１ｃが横方向または斜め下方に延びて傾斜を有する形に形成されている。
【００２０】
原則的に、同じようにして、上方ピストンシリンダ３４ｂはその後端部が第２ジョイント２５に対して片寄り量Ｖ２だけ片寄ってリンク２３と連結されている。この目的で、リンク２３は図２で最もはっきりわかるように上方に傾斜された突出ウェッブ延長部２３ｃを有しており、これらのウェッブ延長部２３ｃはジョイント穴５１を有しており、この穴５１に、１つまたは２つの横方向貫通側ジョイントボルト５２により横ヘッド４８ｂが横ヘッド４８ａに対応して設けられ、それにより横ヘッド４８ｂはピストンシリンダ３４ｂのピストンロッド４２に連結され、詳細には、ねじ付けされる。これらの手段により、ピストンシリンダ３４ｂ用の第５ジョイント５３が形成されており、この第５ジョイント５３は第２ジョイント２５に対して横方向に片寄っており、ここでは、量Ｖ２だけ上方に片寄っている。ピストンシリンダ３４ｂの前端部は基体シェル３２に設けられており、本実施例では、枢動平面内で枢動可能に基体シェルに形成された第６ジョイント５４に自己支持式に形成されている。同様に、第２、第５および第６ジョイント２５，５３，５４は仮想の三角形のコーナに位置決めされている。
【００２１】
ピストンシリンダ３４ａ、３４ｂの両方は、弁タペット４１が互いに近接して配置され、且つ好ましくは弁タペット４１を共通に作動部材４５により作動することができるように、ピストンシリンダのピストンロッド４２が後方に向けられて配置されている。作動部材４５の移動方向は枢動方向に対して直角に向けられており、且つ弁タペット４１の移動方向が枢動平面にあるので、作動部材４５と弁タペット４１との間に伝達機構５５が必要とされる。しかも、ピストンロッド４２から突出している弁タペット４１の接触端部４１ｂが枢動中に円形の弧状移動を行なうので、いずれの枢動位置でも好ましくは関連した両伝達機構５５と連結されるような作動部材４５の形状が必要とされる。この目的で、作動表面が枢動平面または長さ方向中間平面Ｅと平行に延びる作動板４５ａを作動部材４５に配置することが適している。作動板４５ａはいずれの枢動位置でも伝達機構５５と駆動連結状態にあるように寸法決めされている。好例の本実施例では、ガイドにおいて枢動平面に対して横方向に移動可能な作動ボルト５６によって形成された各ピストンシリンダ３４ａ、３４ｂ用の伝達機構５５が設けられており、作動部材４５側の作動ボルトの端部は作動板４５ａに圧接しており、作動ボルト５６は作動部材４５の内方移動で弁３９が開弁されるように接触端部４１ｂと接触状態にある湾曲または斜めの表面５７を有している。作動ボルト５６の戻りは作動ボルト５６を介して作動部材４５の戻り移動のために役立つことができるばねによって行なわれる。図６でわかるように、作動ボルト５６は横ヘッド４８a、４８ｂ上で関連接触端部４１ｂの両側に配置された取付け壁部５８においてそこに形成されたガイド穴に設けられている。作動ボルト５６の回転を防ぐために、作動ボルト５６と取付け壁部５８のうちの一方との間に回転止め体が設けられており、この回転止め体は関連した取付け壁部５８と作動ボルト５６のスロットとを貫通するピンにより構成されている。他方の伝達機構５５も対応して形成されている。
【００２２】
作動部材４５は基体キャリア３１および／または基体シェル３２においてガイド６１で案内される。好例の本実施例では、ガイド６１はリンク２３またはリンクウェッブ２３ａの後方に延長された延長部材２３ｄの２つのガイド穴６２ａ、６２ｂにより構成されており、それにより作動部材４５はガイド穴６２ａ、６２ｂに嵌合する２つの内方に突出したガイドロッド６３ａ、６３ｂを有している。案内のために、或いは追加の案内のために、作動部材４５を挿入することができる開口部の開口縁部６４を設けてもよい（図６参照）。戻りばねとして延長ばね６５が設けられており、この延長ばね６５は作動部材４５から離れた方の取付け壁部５８と関連した作動ボルト５６との間に配置され、その端部がこれらの２つの部分に取付けられるようにしてもよい。
【００２３】
延長部分３１ｃが近傍の作動ボルト５６の領域に位置決めされていれば、例えば、作動ボルト５６の関連端部が通ることができる湾曲した細長い穴６０が延長部分３１ｄに設けられることが必要である（図６）。
【００２４】
一方では、基体部分８ａ及び作動部材４５の上方に水平に測定した寸法ａ（図４）、他方では、基体部分８ａの後側からの作動部材４５の平均間隔ｂは、基体部分８ａおよび作動部材４５を矢印で示す下から或いは背後から操作し、作動部材の押し込み移動を手で把持することができ、且つ、操作し易い方法で手で行なうことができるような大きさである。それにより、操作する手の１本またはそれ以上の指で矢印６７で示す基体部分８ａの反対側に対立する力を及ぼす。この操作位置において、ジョイント２４，２５が外され、頭支持体７を、片手操作の場合、同じ一方の手で所望の枢動位置すなわち支持位置へ枢動させることができる。作動部材４５が解放されるやいなや、この作動部材４５は弾性ばね力によりその始めの位置に戻り、それによりジョイント２４、２５が自己作用で拘束される。
【００２５】
特に、指の損傷を回避し且つ／或いは頭支持体７の外観を向上させるために、図２に示すカバー部分６８によってリンク２３を覆うことができる。
【００２６】
６９は作動部材に一体に形成された肢部を示しており、この肢部は外側でジョイントシール３２に係合し、作動部材４５用のガイド穴の関連縁部の上方を覆っている。
【００２７】
頭支持体７のむずかしい位置でも、取り扱いを容易にするために、頭支持体には、特に両側には、例えば、基体８または基体シェル３２に取り付けられ、好ましくは、それに形成される突出したグリップ部７１を設けるようにしてもよい。
【００２８】
【発明の効果】
最後に、更に下記の利点を述べる。
無段階設定が達成され、それにより機械的ラチェット機構が必要とされない。
信頼性のある作動が可能である。
頭クッション２１から背もたれクッションへの水平方向変化部を設定することができる（子供の治療）。
頭クッション２１を背もたれクッションに直接押し付けることができる。
また、操作および設定を高荷重下で行なうことができる。
簡単な取付けおよび取外しが可能である。
【図面の簡単な説明】
【図１】  側部から見た本発明による治療椅子の図である。
【図２】  側部から見た本発明による治療椅子の頭支持体の図である。
【図３】  背後から見た頭支持体の図である。
【図４】  上方から見た頭支持体の図である。
【図５】  枢動支持位置にある頭支持体の幾らか拡大した図である。
【図６】  背後および上方から斜めに見た頭支持体の斜視図である。
【図７】  ピストンロッドの液圧係止位置に位置決めされた頭支持体用のピストンシリンダの軸方向断面図である。
【符号の説明】
１      治療椅子
２      座部分
３      脚部支持体
４      背もたれ
５      背もたれジョイント
７      頭支持体
８      基体
８ａ    グリップ部分
１７    ジョイント装置
１９ａ  固定装置
１９ｂ  固定装置
２３    リンク
２４    第１ジョイント
２５    第２ジョイント
３４ａ  ピストンシリンダ
３６    作用室
３７    作用室
３８    連結管路
３９    弁
４２    ピストンロッド
４５    作動部材
５５    伝達装置
【図１】
0004674330.tif 000002
【図２】
0004674330.tif 000003
【図３】
0004674330.tif 000004
【図４】
0004674330.tif 000005
【図５】
0004674330.tif 000006
【図６】
0004674330.tif 000007
【図７】
0004674330.tif 000008